(57)【要約】【課題】画像形成装置を小型化しつつフィルムカセットの装填を容易にする。【解決手段】ヒンジ部（13）は、その一部が平面視において収納室（40）内に食み出すように収納室（40）を構成する４つの側壁部のうち第１側壁部（401）の開口側の端部に設けられている。第１側壁部（401）には、フィルムカセット（30）の一端部と第１側壁部（401）とが互いに対向するように収納室（40）に対してフィルムカセット（30）を斜めに挿入してフィルムカセット（30）の一端部を軸としてフィルムカセット（30）を回転させてフィルムカセット（30）を収納室（40）に嵌め込むカセット取り付け動作においてフィルムカセット（30）の一端部と第１側壁部（401）との干渉を回避するための逃げ部（70）が設けられている。【選択図】図８
2018180120.tif 000002
【特許請求の範囲】
【請求項１】
インスタントフィルムを収納するフィルムカセットが装填されて該フィルムカセットから繰り出された該インスタントフィルムに画像を形成する画像形成装置であって、
前記フィルムカセットの外形に対応する矩形状に形成されて該フィルムカセットが嵌め込まれるように構成された収納室を有する本体部と、
前記収納室の開口を開閉するように構成された蓋部と、
前記本体部に対して前記蓋部を開閉可能に連結するヒンジ部とを備え、
前記ヒンジ部は、その一部が平面視において前記収納室内に食み出すように該収納室を構成する４つの側壁部のうち第１側壁部の開口側の端部に設けられ、
前記第１側壁部には、前記フィルムカセットの一端部と該第１側壁部とが互いに対向するように前記収納室に対して該フィルムカセットを斜めに挿入して該フィルムカセットの一端部を軸として該フィルムカセットを回転させて該フィルムカセットを該収納室に嵌め込むカセット装填動作において該フィルムカセットの一端部と該第１側壁部との干渉を回避するための逃げ部が設けられている
ことを特徴とする画像形成装置。
【請求項２】
請求項１において、
前記逃げ部は、前記第１側壁部に設けられた凹陥部によって構成され、
前記凹陥部は、少なくとも前記第１側壁部の開口側の部分の一部に設けられている
ことを特徴とする画像形成装置。
【請求項３】
請求項１または２において、
少なくとも前記第１側壁部の底壁部側の部分の一部は、前記逃げ部が設けられていない平坦部となっている
ことを特徴とする画像形成装置。
【請求項４】
請求項３において、
前記第１側壁部のうち前記平坦部には、前記収納室における前記フィルムカセットの位置決めを行うための位置決め突起部が設けられている
ことを特徴とする画像形成装置。
【請求項５】
請求項１〜４のいずれか１項において、
前記収納室に嵌め込まれた前記フィルムカセットから前記インスタントフィルムが繰り出されるフィルム繰出方向は、前記第１側壁部から該収納室を構成する４つの側壁部のうち該第１側壁部と対向する第２側壁部へ向かう方向となっている
ことを特徴とする画像形成装置。
【発明の詳細な説明】
【技術分野】
【０００１】
ここに開示する技術は、画像形成装置に関する。
【背景技術】
【０００２】
従来、インスタントフィルムに画像を形成する画像形成装置が知られている。例えば、特許文献１には、インスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムへの画像記録とを行う画像記録装置が開示されている。また、特許文献１の画像記録装置には、パック室を開閉自在に覆うフィルムドアが設けられている。
【先行技術文献】
【特許文献】
【０００３】
【特許文献１】特開２００６−９１５１９号公報
【発明の概要】
【発明が解決しようとする課題】
【０００４】
ところで、特許文献１のような画像形成装置を小型化しようとした場合、パック室（収納室）を有する本体部に対してフィルムドア（蓋部）を開閉可能に連結するヒンジ部を次のように構成することが考えられる。すなわち、ヒンジ部が平面視においてパック室内に食み出すようにヒンジ部をパック室の縁部に設けることが考えられる。このような構成では、パック室を構成する４つの側壁部のうちヒンジ部が配置された側壁部とインスタントフィルムパック（フィルムカセット）の一端部とが互いに対向するようにパック室に対してインスタントフィルムパックを斜めに差し入れることになる。しかしながら、ヒンジ部が配置された側壁部とインスタントフィルムパックの一端部とが干渉してしまうので、インスタントフィルムパックの装填が困難となる。
【０００５】
そこで、ここに開示する技術は、画像形成装置を小型化しつつ画像形成装置におけるフィルムカセットの装填を容易にすることを可能とすることを目的とする。
【課題を解決するための手段】
【０００６】
ここに開示する技術は、インスタントフィルムを収納するフィルムカセットが装填されて該フィルムカセットから繰り出された該インスタントフィルムに画像を形成する画像形成装置に関し、この画像形成装置は、前記フィルムカセットの外形に対応する矩形状に形成されて該フィルムカセットが嵌め込まれるように構成された収納室を有する本体部と、前記収納室の開口を開閉するように構成された蓋部と、前記本体部に対して前記蓋部を開閉可能に連結するヒンジ部とを備えている。前記ヒンジ部は、その一部が平面視において前記収納室内に食み出すように該収納室を構成する４つの側壁部のうち第１側壁部の開口側の端部に設けられている。前記第１側壁部には、前記フィルムカセットの一端部と該第１側壁部とが互いに対向するように前記収納室に対して該フィルムカセットを斜めに挿入して該フィルムカセットの一端部を軸として該フィルムカセットを回転させて該フィルムカセットを該収納室に嵌め込むカセット装填動作において該フィルムカセットの一端部と該第１側壁部との干渉を回避するための逃げ部が設けられている。
【０００７】
前記の構成では、平面視において収納室内に食み出すようにヒンジ部を設けることにより、画像形成装置を小型化することができる。さらに、第１側壁部に逃げ部を設けることにより、カセット装填動作におけるフィルムカセットの一端部（具体的には一端部の角部）と第１側壁部との干渉を回避することができる。これにより、画像形成装置を小型化しつつ画像形成装置におけるフィルムカセットの装填を容易にすることができる。
【０００８】
なお、前記逃げ部は、前記第１側壁部に設けられた凹陥部によって構成されていてもよい。前記凹陥部は、少なくとも前記第１側壁部の開口側の部分の一部に形成されていてもよい。
【０００９】
カセット装填動作におけるフィルムカセットの一端部（具体的には一端部の角部）と第１側壁部との干渉は、第１側壁部の開口側の部分において発生しやすくなっている。したがって、前記の構成では、少なくとも第１側壁部の開口側の部分の一部に凹陥部を形成することにより、カセット装填動作におけるフィルムカセットの一端部と第１側壁部との干渉を効果的に回避することができる。
【００１０】
また、少なくとも前記第１側壁部の底壁部側の部分の一部は、前記逃げ部が設けられていない平坦部となっていてもよい。
【００１１】
前記の構成では、少なくとも第１側壁部の開口側の部分の一部に逃げ部が設けられる一方で、少なくとも第１側壁部の底壁部側の部分の一部が平坦部（逃げ部が設けられていない部分）となっている。このように、第１側壁部の開口側の部分（カセット装填動作におけるフィルムカセットの一端部と第１側壁部との干渉が比較的に発生しやすい部分）に逃げ部を設けることにより、カセット装填動作におけるフィルムカセットの一端部と第１側壁部との干渉を効果的に回避することができる。一方で、第１側壁部の底壁部側の部分（カセット装填動作におけるフィルムカセットの一端部と第１側壁部との干渉が比較的に発生しにくい部分）に平坦部を設けることにより、第１側壁部とフィルムカセットとの間の隙間が広くなり過ぎないようにすることができるので、収納室におけるフィルムカセットの位置ずれを抑制することができる。
【００１２】
また、前記第１側壁部のうち前記平坦部には、前記収納室における前記フィルムカセットの位置決めを行うための位置決め突起部が設けられていてもよい。
【００１３】
前記の構成では、第１側壁部に位置決め突起部を設けることにより、収納室におけるフィルムカセットの位置ずれを低減することができる。
【００１４】
また、前記収納室に嵌め込まれた前記フィルムカセットから前記インスタントフィルムが繰り出されるフィルム繰出方向は、前記第１側壁部から該収納室を構成する４つの側壁部のうち該第１側壁部と対向する第２側壁部へ向かう方向となっていてもよい。
【００１５】
前記の構成では、収納室を構成する４つの側壁部のうちフィルム繰出方向の上流側に位置する第１側壁部に逃げ部が設けられている。これにより、収納室を構成する４つの側壁部のうちフィルム繰出方向の上流側に位置する第１側壁部を除く３つの側壁部と収納室に装着されたフィルムカセットとの間の隙間が広くなり過ぎないようにすることができるので、インスタントフィルムの繰り出し動作に伴うフィルムカセットの位置ずれを抑制することができる。
【発明の効果】
【００１６】
ここに開示する技術によれば、画像形成装置を小型化しつつ画像形成装置におけるフィルムカセットの装填を容易にすることができる。
【図面の簡単な説明】
【００１７】
【図１】実施形態による画像形成装置の構成を例示する斜視図である。
【図２】実施形態による画像形成装置の構成を例示する平面図である。
【図３】実施形態による画像形成装置の構成を例示する断面図である。
【図４】画像形成装置およびフィルムカセットの構成を例示する断面図である。
【図５】インスタントフィルムの構成を例示する断面図である。
【図６】画像形成部の構成を例示する概略図である。
【図７】逃げ部の構成を例示する断面図である。
【図８】カセット装填動作について説明するための断面図である。
【図９】カセット装填動作について説明するための別の断面図である。
【発明を実施するための形態】
【００１８】
以下、実施の形態を図面を参照して詳しく説明する。なお、図中同一または相当部分には同一の符号を付しその説明は繰り返さない。
【００１９】
（画像形成装置）
図１〜図４は、実施形態による画像形成装置１０の構成を例示している。この画像形成装置１０は、インスタントフィルム２０を収納するフィルムカセット３０が装填されてフィルムカセット３０から繰り出されたインスタントフィルム２０に画像を形成するように構成されている。この例では、画像形成装置１０は、小型のプリンタを構成している。
【００２０】
なお、以下の説明において、「上」「下」「左」「右」「前」「後」は、画像形成装置１０の前端部（この例ではインスタントフィルム２０を送り出す部分）を正面にして見た場合の方向を示している。また、この例では、画像形成装置１０におけるインスタントフィルム２０の繰出方向は、後側から前側へ向かう方向となっている。また、画像形成装置１０には、画像形成装置１０の動作を制御するための部品（例えばＣＰＵやメモリなどの制御系の部品や電池などの電源系の部品など）が搭載されているが、ここでは、その説明を省略している。
【００２１】
〔インスタントフィルム〕
図５は、インスタントフィルム２０の構成を例示している。インスタントフィルム２０は、感光シート２１と、現像液ポッド２２と、トラップ材２３と、カバーシート２４と、マスクシート２５とを有している。
【００２２】
感光シート２１は、一方の面が露光面２１ａとなり、他方の面が観察面２１ｂとなっている。また、感光シート２１は、露光面２１ａ側から順に感光層と拡散反射層と受像層とが積層されて構成されている。感光層は、潜像が記録される層であり、受像層は、ポジ像が転写される層であり、拡散反射層は、感光像に記録された潜像をポジ像として受像層に転写するための層である。現像液ポッド２２は、袋状に形成され、その内部に現像処理液が封入されている。トラップ材２３は、現像処理液を吸収して捕捉するように構成されている。カバーシート２４は、透明性を有している。マスクシート２５は、プラスチック材料により構成され、その長手方向の中央部に開口２５ａが設けられている。
【００２３】
マスクシート２５の開口２５ａは、露光範囲を規制するマスクを構成している。感光シート２１は、その幅方向の長さがマスクシート２５の幅方向の長さと同一に形成され、マスクシート２５の開口２５ａに対して中心合わせでマスクシート２５の裏面に貼着されている。感光シート２１の裏側（露光面２１ａ側）には、マスクシート２５の開口２５ａの長手方向の両側に現像液ポッド２２とトラップ材２３とが接着剤によって固着され、現像液ポッド２２とトラップ材２３との間にカバーシート２４が配置されている。マスクシート２５の長手方向の両端部は、現像液ポッド２２とトラップ材２３とをそれぞれ包み込むように折り返してカバーシート２４の裏面に接着剤によって固着される。
【００２４】
画像形成装置１０では、現像液ポッド２２側が前側となりトラップ材２３側が後側となるようにインスタントフィルム２０が搬送される。そして、現像液ポッド２２が裂開されると、感光シート２１とカバーシート２４との間に現像処理液が展開され、感光シート２１の感光層に記録された潜像が拡散反射層を通して感光シート２１の受像層にポジ像として転写される。受像層に転写された像は、観察面２１ｂからポジ像として観察される。なお、感光シート２１の幅方向の両縁部には、スペーサ（図示を省略）が接着され、これらのスペーサには、カバーシート２４の幅方向の両縁部が接着されている。このような構成により、感光シート２１とカバーシート２４との間に一定の隙間に確保され、現像液ポッド２２から流出する現像処理液がこの隙間に均等に展開される。現像処理で余剰となった現像処理液は、トラップ材２３により吸収されて捕捉される。
【００２５】
（フィルムカセット）
図４に示すように、フィルムカセット３０は、上下方向に扁平な直方体型の箱状に形成され、その内部に複数枚のインスタントフィルム２０を積層して収納している。具体的には、画像形成装置１０におけるインスタントフィルム２０の繰出方向（以下「フィルム繰出方向」と記載）において現像液ポッド２２側が下流側（先頭側）となりカバーシート２４側（感光シート２１の露光面２１ａ側）がフィルムカセット３０の底壁部側となるように、フィルムカセット３０において複数枚のインスタントフィルム２０が積層されて収納されている。
【００２６】
この例では、フィルムカセット３０は、カセット本体３１と、カセット蓋３２とを有している。カセット本体３１およびカセット蓋３２は、遮光性および弾性を有するプラスチック材料によって構成されている。カセット本体３１は、一面（この例では上面）が開口する箱状に形成されている。カセット蓋３２は、平板状に形成され、カセット本体３１の開口面に取り付けられてカセット本体３１の開口を閉塞するように構成されている。
【００２７】
また、フィルムカセット３０（具体的にはカセット本体３１）の４つの側壁部のうちフィルム繰出方向の下流側に位置する側壁部（この例では前壁部）の底壁部側の部分には、フィルムカセット３０からインスタントフィルム２０を１枚ずつ繰り出すための繰出口３３が設けられている。なお、フィルムカセット３０の側壁部の底壁部側の部分とは、フィルムカセット３０の側壁部のうち底壁部側の端部（この例では下端）から側壁部の高さ方向（この例では上下方向）における中央までの部分のことである。
【００２８】
また、フィルムカセット３０（具体的にはカセット本体３１）の底壁部には、押出スリット（図示を省略）が設けられている。押出スリットは、フィルム繰出方向に延びる細長い矩形状に形成され、後述する押出部材６１が挿入されて押出部材６１がフィルム繰出方向に移動可能となるように構成されている。この例では、押出スリットは、フィルムカセット３０の左後部に配置されている。
【００２９】
また、フィルムカセット３０のカセット蓋３２には、第１押圧開口３４ａと第２押圧開口３４ｂとが設けられている。第１押圧開口３４ａと第２押圧開口３４ｂは、後述する第１押圧部材１２ａと第２押圧部材１２ｂにそれぞれ対応し、第１押圧部材１２ａと第２押圧部材１２ｂが挿入可能となるように構成されている。なお、第１押圧開口３４ａと第２押圧開口３４ｂは、フィルム繰出方向（この例では前後方向）において間隔をおいて配置されている。
【００３０】
（画像形成装置の構成）
図１〜図４に示すように、画像形成装置１０は、本体部１１と、蓋部１２と、ヒンジ部１３とを備えている。本体部１１と蓋部１２とヒンジ部１３は、例えば、樹脂によって構成されている。
【００３１】
〔本体部〕
本体部１１は、上下方向に扁平な直方体状に形成されている。本体部１１には、収納室４０が設けられている。
【００３２】
〈収納室〉
収納室４０は、フィルムカセット３０の外形に対応する矩形状に形成されてフィルムカセット３０が嵌め込まれるように構成されている。具体的には、収納室４０は、底壁部４００と、４つの側壁部（第１側壁部４０１と第２側壁部４０２と第３側壁部４０３と第４側壁部４０４）とによって構成されている。第２側壁部４０２は、第１側壁部４０１と対向している。第３側壁部４０３と第４側壁部４０４は、第１側壁部４０１に隣接する側壁部であり、互いに対向している。また、底壁部４００の内面（収納室４０に臨む面）は、矩形状に形成され、４つの側壁部の内面（収納室４０に臨む面）は、矩形状に形成され、底壁部４００の内面に対して立設されている。
【００３３】
この例では、第１側壁部４０１と第２側壁部４０２がフィルム繰出方向の上流側と下流側（この例では後側と前側）にそれぞれ位置している。すなわち、この例では、収納室４０に嵌め込まれたフィルムカセット３０からインスタントフィルム２０が繰り出される方向（フィルム繰出方向）は、第１側壁部４０１から第２側壁部４０２へ向かう方向となっている。また、第３側壁部４０３と第４側壁部４０４がフィルム繰出方向と直交する方向（この例では左右方向）において互いに対向し、第３側壁部４０３が第１側壁部４０１の右側に位置し、第４側壁部４０４が第１側壁部４０１の左側に位置している。
【００３４】
〈画像形成部〉
また、本体部１１には、画像形成部５０が設けられている。画像形成部５０は、フィルム繰出方向において収納室４０の下流側に配置されている。そして、画像形成部５０は、収納室４０に装填されたフィルムカセット３０から繰り出されたインスタントフィルム２０を取り込み、そのインスタントフィルム２０に画像を形成するように構成されている。なお、収納室４０と画像形成部５０とを隔てる第２側壁部４０２には、収納室４０に装填されたフィルムカセット３０から繰り出されたインスタントフィルム２０を画像形成部５０に送るための連通口４０２ａ（第２側壁部４０２をフィルム繰出方向に貫通してフィルムカセット３０の繰出口３３と画像形成部５０とを連通させる開口）が設けられている。すなわち、フィルムカセット３０の繰出口３３から繰り出されたインスタントフィルム２０は、第２側壁部４０２の連通口４０２ａを通過して画像形成部５０に取り込まれる。
【００３５】
図６に示すように、画像形成部５０は、光ヘッド５００と、第１搬送ローラ５０１と、第２搬送ローラ５０２と、第１展開ローラ５０３と、第２展開ローラ５０４とを有している。画像形成部５０では、フィルム繰出方向の上流側から下流側へ向けて光ヘッド５００と搬送ローラ（第１搬送ローラ５０１と第２搬送ローラ５０２）と展開ローラ（第１展開ローラ５０３と第２展開ローラ５０４）とが順に配置されている。そして、第１搬送ローラ５０１と第２搬送ローラ５０２と第１展開ローラ５０３と第２展開ローラ５０４は、モータ（図示を省略）によって駆動される。
【００３６】
光ヘッド５００は、画像形成部５０に取り込まれたインスタントフィルム２０の感光シート２１の露光面２１ａに対して画像光を照射して感光シート２１に潜像を記録するように構成されている。例えば、光ヘッド５００は、メモリなどの記憶部（図示を省略）に記憶された画像データに応じた画像光を照射するように構成されている。
【００３７】
第１搬送ローラ５０１と第２搬送ローラ５０２は、画像形成部５０に取り込まれたインスタントフィルム２０の幅方向の両縁部を挟んで回転することにより、インスタントフィルム２０を第１展開ローラ５０３と第２展開ローラ５０４へ向けて搬送するように構成されている。
【００３８】
第１展開ローラ５０３と第２展開ローラ５０４は、第１搬送ローラ５０１と第２搬送ローラ５０２から搬送されてきたインスタントフィルム２０を幅方向の全長に渡って挟んで回転することにより、インスタントフィルム２０を搬送しながら、インスタントフィルム２０の現像液ポッド２２を裂開させて現像液を感光シート２１とカバーシート２４との間の隙間に展開させるように構成されている。これにより、感光シート２１の感光層に記録された潜像が拡散反射層を通してポジ像として受像層に転写され、インスタントフィルム２０に画像が形成される。
【００３９】
〈押出部材〉
また、底壁部４００には、押出部材６１が設けられている。押出部材６１は、収納室４０を構成する４つの側壁部のうちフィルム繰出方向の上流側に位置する側壁部（この例では後側に位置する第１側壁部４０１）に寄った位置であり、且つ、収納室４０を構成する４つの側壁部のうちフィルム繰出方向と直交する方向の一方側に位置する側壁部（この例では第１側壁部４０１に隣接する第３側壁部４０３および第４側壁部４０４の一方、具体的には左側に位置する第３側壁部４０３）に寄った位置において収納室４０内に進出し、収納室４０に装填されたフィルムカセット３０に収納された１枚のインスタントフィルム２０の後端部（フィルム繰出方向における上流側の端部）に係合してインスタントフィルム２０をフィルムカセット３０から繰り出すように構成されている。
【００４０】
具体的には、押出部材６１は、収納室４０に装填されたフィルムカセット３０に設けられた押出スリット（図示を省略）に進入してフィルム搬送方向に移動するように構成されている。また、押出部材６１は、フィルムカセット３０に収納されている１枚のインスタントフィルム２０の後端部（トラップ材２３側の端部）に引っ掛けることが可能な鉤部を有し、その鉤部がインスタントフィルム２０の後縁部に引っ掛けられた状態でフィルム繰出方向に前進することにより、フィルムカセット３０からインスタントフィルム２０を繰り出すように構成されている。フィルムカセット３０から繰り出されたインスタントフィルム２０は、画像形成部５０に取り込まれる。
【００４１】
〈送出口〉
また、本体部１１には、画像形成部５０において画像が形成されたインスタントフィルム２０を１枚ずつ送り出すための送出口６２が設けられている。この例では、送出口６２は、本体部１１の前端部に設けられている。画像形成装置１０では、押出部材６１によってフィルムカセット３０からインスタントフィルム２０が繰り出されて画像形成部５０に取り込まれ、画像形成部５０においてインスタントフィルム２０に画像が形成され、画像形成部５０において画像が形成されたインスタントフィルム２０が送出口６２から送り出される。
【００４２】
〈装填センサ〉
また、本体部１１には、装填センサ６３が設けられている。装填センサ６３は、収納室４０に対してフィルムカセット３０が嵌め込まれていることを検知するように構成されている。例えば、装填センサ６３は、収納室４０に嵌め込まれたフィルムカセット３０と接触するように配置され、フィルムカセット３０と接触している場合に収納室４０に対してフィルムカセット３０が嵌め込まれていると判定し、フィルムカセット３０と接触していない場合に収納室４０に対してフィルムカセット３０が嵌め込まれていないと判定するように構成されている。また、装填センサ６３は、収納室４０を構成する４つの側壁部のうち第１側壁部４０１に隣接する２つの側壁部のいずれか一方（この例では第３側壁部４０３）に設けられている。
【００４３】
〔蓋部〕
蓋部１２は、収納室４０の開口を開閉するように構成されている。この例では、蓋部１２には、第１押圧部材１２ａと第２押圧部材１２ｂとが設けられている。第１押圧部材１２ａと第２押圧部材１２ｂは、フィルムカセット３０に設けられた第１押圧開口３４ａと第２押圧開口３４ｂにそれぞれ対応し、本体部１１の収納室４０にフィルムカセット３０が装填されて蓋部１２が閉状態となっている場合に第１押圧開口３４ａと第２押圧開口３４ｂにそれぞれ挿入されるように構成されている。この例では、第１押圧部材１２ａと第２押圧部材１２ｂは、フィルム繰出方向（この例では前後方向）において間隔をおいて配置されている。
【００４４】
〔ヒンジ部〕
ヒンジ部１３は、本体部１１に対して蓋部１２を開閉可能に連結するように構成されている。具体的には、ヒンジ部１３は、本体部１１に連結される本体側連結部１３ａと、蓋部１２に連結される蓋側連結部１３ｂと、本体側連結部１３ａと蓋側連結部１３ｂとを回転可能に連結するヒンジ軸１３ｃとを有している。この例では、本体側連結部１３ａは、本体部１１と一体に形成され、蓋側連結部１３ｂは、蓋部１２と一体に形成されている。
【００４５】
また、ヒンジ部１３は、その一部（具体的には本体側連結部１３ａ）が平面視において収納室４０内に食み出すように収納室４０を構成する４つの側壁部のうち第１側壁部４０１の開口側の端部（この例では上端）に設けられている。
【００４６】
〔逃げ部〕
また、図３，図４，図７に示すように、第１側壁部４０１には、逃げ部７０が設けられている。逃げ部７０は、フィルムカセット３０の一端部（詳しくは一端部の角部、この例では後端部の上側の角部３０ａ）と第１側壁部４０１とが互いに対向するように収納室４０に対してフィルムカセット３０を斜めに挿入してフィルムカセット３０の一端部を軸としてフィルムカセット３０を回転させてフィルムカセット３０を収納室４０に嵌め込むカセット装填動作においてフィルムカセット３０の一端部と第１側壁部４０１との干渉を回避するために設けられている。具体的には、逃げ部７０は、カセット装填動作におけるフィルムカセット３０の一端部（詳しくは第１側壁部４０１と干渉する可能性がある一端部の角部、この例では後端部の上側の角部３０ａ）の軌跡と第１側壁部４０１とが重複しないように形成されている。
【００４７】
この例では、逃げ部７０は、第１側壁部４０１に設けられた凹陥部によって構成されている。凹陥部は、第１側壁部４０１の内面から外面へ向けて凹陥する部分であり、少なくとも第１側壁部４０１の開口側の部分の一部に設けられている。また、この例では、第１側壁部４０１には、凹陥部（逃げ部７０）が設けられていない部分（平坦部）が含まれている。具体的には、少なくとも第１側壁部４０１の底壁部側の部分の一部は、凹陥部（逃げ部７０）が設けられていない平坦部となっている。なお、第１側壁部４０１の開口側の部分とは、第１側壁部４０１のうち開口側の端部（この例では上端）から第１側壁部４０１の高さ方向（この例では上下方向）における中央までの部分のことであり、第１側壁部４０１の底壁部側の部分とは、第１側壁部４０１のうち底壁部側の端部（この例では下端）から第１側壁部４０１の高さ方向（この例では上下方向）における中央までの部分のことである。なお、図７の二点鎖線は、逃げ部７０を構成する凹陥部が設けられていない第１側壁部４０１の内面を示している。
【００４８】
この例では、凹陥部は、第１側壁部４０１の開口側の端部（この例では上端）から第１側壁部４０１の高さ方向における中途部（この例ではほぼ中央）まで設けられている。なお、第１側壁部４０１のうち底壁部側の端部（この例では下端）から第１側壁部４０１の高さ方向における中途部までの部分は、逃げ部７０を構成する凹陥部が設けられていない部分（平坦部）となっている。また、凹陥部は、第１側壁部４０１の幅方向（この例では左右方向）において第１側壁部４０１の一端から他端まで設けられている。すなわち、凹陥部は、第２側壁部４０２から見た場合に第１側壁部４０１の開口側の端部から底壁部側へ向けて延びる矩形状に形成されている。
【００４９】
また、この例では、逃げ部７０を構成する凹陥部の底面は、第１側壁部４０１の内面と平行となるように平坦面状に形成されている。また、逃げ部７０を構成する凹陥部の底面と第１側壁部４０１の内面とを接続する凹陥部の側面（段差面）は、第１側壁部４０１の底壁部側から開口側（この例では下側から上側）へ向けて第１側壁部４０１の内面側から外面側（この例では前側から後側）に傾斜する傾斜面となっている。
【００５０】
〔位置決め突起部〕
また、第１側壁部４０１には、第１位置決め突起部８１と第２位置決め突起部８２とが設けられている。第１位置決め突起部８１と第２位置決め突起部８２は、収納室４０におけるフィルムカセット３０の位置決め（具体的には第１側壁部４０１と第２側壁部４０２との対向方向における位置決め）を行うために設けられている。
【００５１】
第１位置決め突起部８１と第２位置決め突起部８２は、第１側壁部４０１の内面から収納室４０へ向けて突出する部分であり、第１側壁部４０１のうち平坦部（すなわち逃げ部７０が設けられていない部分）に設けられている。すなわち、第１側壁部４０１のうち凹陥部（逃げ部７０）が設けられている部分（すなわち少なくとも第１側壁部４０１の開口側の部分の一部、この例では底壁部側の端部から高さ方向における中途部までの部分）には、第１位置決め突起部８１と第２位置決め突起部８２が設けられていない。
【００５２】
また、第１位置決め突起部８１と第２位置決め突起部８２は、カセット装填動作（フィルムカセット３０の一端部と第１側壁部４０１とが互いに対向するように収納室４０に対してフィルムカセット３０を斜めに挿入してフィルムカセット３０の一端部を軸としてフィルムカセット３０を回転させてフィルムカセット３０を収納室４０に嵌め込む動作）においてフィルムカセット３０の一端部と干渉しないように形成されている。具体的には、第１位置決め突起部８１と第２位置決め突起部８２は、カセット装填動作におけるフィルムカセット３０の一端部（詳しくは第１側壁部４０１と干渉する可能性がある一端部、この例では後端部）の軌跡と重複しないように形成されている。
【００５３】
なお、第１位置決め突起部８１と第２位置決め突起部８２は、第１側壁部４０１の高さ方向（この例では上下方向）において少なくとも第１側壁部４０１の底壁部端の端部（この例では下端）から収納室４０に嵌め込まれたフィルムカセット３０の繰出口３３の高さ位置（具体的には繰出口３３の底壁部側の開口縁の高さ位置）まで設けられていることが好ましい。
【００５４】
この例では、第１位置決め突起部８１と第２位置決め突起部８２は、第１側壁部４０１の底壁部側の端部（この例では下端）を基端として底壁部側から開口側（この例では下側から上側）へ向けて延びる凸条状に形成されている。また、第１位置決め突起部８１と第２位置決め突起部８２は、第１側壁部４０１の幅方向（この例では左右方向）において間隔をおいて配置されている。
【００５５】
〔傾斜位置決め突起部〕
また、収納室４０を構成する４つの側壁部のうちフィルム繰出方向と直交する方向において互いに対向する２つの側壁部（この例では第１側壁部４０１に隣接する第３側壁部４０３と第４側壁部４０４）には、複数の傾斜位置決め突起部が設けられていてもよい。この例では、第３側壁部４０３には、第１傾斜位置決め突起部８３が設けられ、第４側壁部４０４には、第２傾斜位置決め突起部８４と第３傾斜位置決め突起部８５とが設けられている。第１傾斜位置決め突起部８３と第２傾斜位置決め突起部８４と第３傾斜位置決め突起部８５は、収納室４０におけるフィルムカセット３０の位置決め（具体的には第３側壁部４０３と第４側壁部４０４との対向方向における位置決め）を行うために設けられている。
【００５６】
第１傾斜位置決め突起部８３は、第３側壁部４０３から収納室４０へ向けて突出する部分であり、少なくとも第３側壁部４０３の底壁部側の部分の一部に設けられている。第２傾斜位置決め突起部８４と第３傾斜位置決め突起部８５は、第４側壁部４０４から収納室４０へ向けて突出する部分であり、少なくとも第４側壁部４０４の底壁部側の部分の一部に設けられている。また、第２傾斜位置決め突起部８４と第３傾斜位置決め突起部８５は、第１側壁部４０１と第２側壁部４０２との対向方向（この例では前後方向）において間隔をおいて配置されている。なお、第３側壁部４０３（または第４側壁部４０４）の底壁部側の部分とは、第３側壁部４０３（または第４側壁部４０４）のうち底壁部側の端部（この例では下端）から第３側壁部４０３（または第４側壁部４０４）の高さ方向における中央までの部分のことである。
【００５７】
なお、この例では、押出部材６１は、収納室４０を構成する４つの側壁部のうちフィルム繰出方向の上流側に位置する側壁部（この例では後側に位置する第１側壁部４０１）に寄った位置であり、且つ、収納室４０を構成する４つの側壁部のうちフィルム繰出方向と直交する方向の一方側に位置する側壁部（この例では第１側壁部４０１に隣接する第３側壁部４０３および第４側壁部４０４の一方、具体的には左側に位置する第３側壁部４０３）に寄った位置に設けられている。したがって、インスタントフィルム２０がフィルム繰出方向の上流側から下流側（具体的には後側から前側）へ向けて押出部材６１側の逆側（具体的には右側）に傾斜した状態で、インスタントフィルム２０がフィルムカセット３０から繰り出されることになる。
【００５８】
そのため、この例では、第１，第２，第３傾斜位置決め突起部８３，８４，８５は、収納室４０においてフィルムカセット３０がフィルム繰出方向の上流側から下流側（この例では後側から前側）へ向けて押出部材６１側（この例では左側）に傾斜するように、収納室４０におけるフィルムカセット３０の位置決めを行うように構成されている。例えば、第１，第２，第３傾斜位置決め突起部８３，８４，８５の突起量は、収納室４０においてフィルムカセット３０がフィルム繰出方向の上流側から下流側へ向けて押出部材６１側に傾斜するように設定されている。このような構成により、押出部材６１の位置の偏りによるインスタントフィルム２０（フィルムカセット３０から繰り出されたインスタントフィルム２０）の傾きとは逆方向にフィルムカセット３０を傾斜させることができるので、フィルム繰出方向に沿うようにフィルムカセット３０から画像形成部５０にインスタントフィルム２０を正確に繰り出すことができる。
【００５９】
〔カセット装填動作〕
次に、図８と図９を参照して、カセット装填動作について説明する。まず、図８に示すように、フィルムカセット３０の一端部（詳しくは後端部の上側の角部３０ａ）と第１側壁部４０１とが互いに対向するように収納室４０に対してフィルムカセット３０が斜めに挿入される。そして、図８の白抜きの矢印で示すように、フィルムカセット３０の一端部を軸としてフィルムカセット３０が回転され、図９に示すように、フィルムカセット３０が収納室４０に嵌め込まれる。なお、第１側壁部４０１に逃げ部７０が設けられているので、フィルムカセット３０の一端部（詳しくは後端部の上側の角部３０ａ）と第１側壁部４０１との干渉が回避される。そのため、フィルムカセット３０の回転を円滑に行うことができ、フィルムカセット３０を収納室４０に容易に嵌め込むことができる。その後、蓋部１２が閉状態（図４参照）となり、フィルムカセット３０の装填が完了する。
【００６０】
〔実施形態による効果〕
以上のように、平面視において収納室４０内に食み出すようにヒンジ部１３を設けることにより、画像形成装置１０を小型化することができる。さらに、第１側壁部４０１に逃げ部７０を設けることにより、カセット装填動作におけるフィルムカセット３０の一端部と第１側壁部４０１との干渉を回避することができる。これにより、画像形成装置１０を小型化しつつ画像形成装置１０におけるフィルムカセット３０の装填を容易にすることができる。
【００６１】
なお、カセット装填動作におけるフィルムカセット３０の一端部と第１側壁部４０１との干渉は、第１側壁部４０１の開口側の部分において発生しやすくなっている。したがって、少なくとも第１側壁部４０１の開口側の部分の一部に凹陥部（逃げ部７０を構成する凹陥部）を形成することにより、カセット装填動作におけるフィルムカセット３０の一端部と第１側壁部４０１との干渉を効果的に回避することができる。
【００６２】
また、カセット装填動作におけるフィルムカセット３０の一端部と第１側壁部４０１との干渉を回避するために、第１側壁部４０１を第２側壁部４０２から離れる方向（この例では後方）に移動させることが考えられる。しかしながら、第１側壁部４０１を第２側壁部４０２から離れる方向（この例では後方）に移動させると、収納室４０に装着されたフィルムカセット３０と第１側壁部４０１（または第２側壁部４０２）との間の隙間が広くなり、収納室４０におけるフィルムカセット３０の位置ずれが大きくなりやすくなる。
【００６３】
一方、この実施形態による画像形成装置１０では、少なくとも第１側壁部４０１の開口側の部分の一部に逃げ部７０（凹陥部）が設けられる一方で、少なくとも第１側壁部４０１の底壁部側の部分の一部が平坦部（逃げ部７０が設けられていない部分）となっている。このように、第１側壁部４０１の開口側の部分（カセット装填動作におけるフィルムカセット３０の一端部と第１側壁部４０１との干渉が比較的に発生しやすい部分）に逃げ部７０（凹陥部）を設けることにより、カセット装填動作におけるフィルムカセット３０の一端部と第１側壁部４０１との干渉を効果的に回避することができる。一方で、第１側壁部４０１の底壁部側の部分（カセット装填動作におけるフィルムカセット３０の一端部と第１側壁部４０１との干渉が比較的に発生しにくい部分）に平坦部を設けることにより、第１側壁部４０１とフィルムカセット３０との間の隙間が広くなり過ぎないようにすることができるので、収納室４０におけるフィルムカセット３０の位置ずれを抑制することができる。
【００６４】
また、第１側壁部４０１のうち平坦部（逃げ部７０が設けられていない部分）に、収納室４０におけるフィルムカセット３０の位置決めを行うための位置決め突起部（具体的には第１位置決め突起部８１と第２位置決め突起部８２）を設けることにより、収納室４０におけるフィルムカセット３０の位置ずれを低減することができる。
【００６５】
また、フィルムカセット３０からインスタントフィルム２０が繰り出される際に、インスタントフィルム２０の繰り出し動作に伴う力（フィルムカセット３０の位置をずらそうとする力）がフィルムカセット３０の底壁部に加わりやすくなっている。したがって、第１側壁部４０１の高さ方向において少なくとも第１側壁部４０１の底壁部側の端部から収納室４０に嵌め込まれたフィルムカセットの繰出口３３の高さ位置まで位置決め突起部（第１位置決め突起部８１と第２位置決め突起部８２）を設けることにより、インスタントフィルム２０の繰り出し動作に伴うフィルムカセット３０の位置ずれを効果的に低減することができる。
【００６６】
また、フィルムカセット３０からインスタントフィルム２０が繰り出される際に、インスタントフィルム２０の繰り出し動作に伴う力がフィルムカセット３０に作用してフィルムカセット３０がフィルム繰出方向へ向けて移動しようとする。そのため、収納室４０を構成する４つの側壁部のうちフィルム繰出方向の上流側に位置する側壁部を除く３つの側壁部と収納室４０に装着されたフィルムカセット３０との間の隙間を広くすると、インスタントフィルム２０の繰り出し動作に伴う力により収納室４０におけるフィルムカセット３０の位置ずれが大きくなりやすくなる。
【００６７】
そのため、この実施形態による画像形成装置１０では、収納室４０を構成する４つの側壁部のうちフィルム繰出方向の上流側に位置する第１側壁部４０１に逃げ部７０が設けられている。これにより、収納室４０を構成する４つの側壁部のうちフィルム繰出方向の上流側に位置する第１側壁部４０１を除く３つの側壁部（すなわち第２側壁部４０２と第３側壁部４０３と第４側壁部４０４）と収納室４０に装着されたフィルムカセット３０との間の隙間が広くなり過ぎないようにすることができるので、インスタントフィルム２０の繰り出し動作に伴うフィルムカセット３０の位置ずれを抑制することができる。
【００６８】
また、複数の傾斜位置決め突起部（具体的には第１傾斜位置決め突起部８３と第２傾斜位置決め突起部８４と第３傾斜位置決め突起部８５）を設けることにより、押出部材６１の位置の偏りによるインスタントフィルム２０（フィルムカセット３０から繰り出されたインスタントフィルム２０）の傾きとは逆方向にフィルムカセット３０を傾斜させることができるので、フィルム繰出方向に沿うようにフィルムカセット３０からインスタントフィルム２０を正確に繰り出すことができる。なお、第１側壁部４０１には逃げ部７０が設けられるので、第１側壁部４０１では、突起部の形成に制約が課されることになる。したがって、突起部の形成に制約が課される第１側壁部４０１を避けて、第１側壁部４０１に隣接する２つの側壁部（この例では第３側壁部４０３と第４側壁部４０４）に複数の傾斜位置決め突起部（第１傾斜位置決め突起部８３と第２傾斜位置決め突起部８４と第３傾斜位置決め突起部８５）を設けることにより、収納室４０においてフィルムカセット３０がフィルム繰出方向の上流側から下流側へ向けて押出部材６１側に傾斜するように、収納室４０におけるフィルムカセット３０の位置決めを正確に行うことができる。
【００６９】
また、カセット装填動作において収納室４０に対してフィルムカセット３０を斜めに挿入する際に、フィルムカセット３０の一端部と第１側壁部４０１とが衝突する可能性がある。そのため、収納室４０を構成する４つの側壁部のうちカセット装填動作においてフィルムカセットの一端部と衝突する可能性が最も高い第１側壁部４０１を避けて、第１側壁部４０１に隣接する２つの側壁部のいずれか一方（この例では第３側壁部４０３）に装填センサ６３を設けることにより、カセット装填動作による装填センサ６３の損傷を低減することができる。
【００７０】
（その他の実施形態）
以上の説明では、画像形成装置１０がプリンタを構成している場合を例に挙げたが、画像形成装置１０は、プリンタに限らず、例えば、カメラに搭載されていてもよい。
【００７１】
また、蓋部１２の裏面（閉状態の場合に収納室４０に臨む面）には、カセット装填動作の手順を説明するための画像（または説明文）が表示されていてもよい。
【００７２】
また、以上の説明では、収納室４０に嵌め込まれたフィルムカセット３０からインスタントフィルム２０が繰り出される方向（フィルム繰出方向）が第１側壁部４０１から第２側壁部４０２へ向かう方向となっている場合を例に挙げたが、これに限らず、フィルム繰出方向は、第２側壁部４０２から第１側壁部４０１へ向かう方向となっていてもよいし、第３側壁部４０３および第４側壁部４０４の一方から他方へ向かう方向となっていてもよい。すなわち、ヒンジ部１３は、収納室４０を構成する４つの側壁部のうちフィルム繰出方向の上流側に位置する側壁部に設けられていてもよいし、フィルム繰出方向の下流側に位置する側壁部に設けられていてもよいし、フィルム繰出方向と直交する方向の一方側に位置する側壁部（または他方側に位置する側壁部）に設けられていてもよい。
【００７３】
また、以上の説明では、逃げ部７０が第１側壁部４０１に設けられた凹陥部によって構成されている場合を例に挙げたが、これに限らず、逃げ部７０は、例えば、第１側壁部４０１の底壁側の端部から開口側の端部（この例では下端から上端）へ向けて第１側壁部４０１の外面側へ傾斜する第１側壁部４０１の内面（傾斜面）によって構成されていてもよい。このように逃げ部７０が構成されている場合も、カセット装填動作におけるフィルムカセット３０の一端部（この例では後端部の上側の角部３０ａ）と第１側壁部４０１との干渉を回避することができる。
【００７４】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【００７５】
以上説明したように、ここに開示する技術は、画像形成装置として有用である。
【符号の説明】
【００７６】
１０          画像形成装置
１１          本体部
１２          蓋部
１３          ヒンジ部
２０          インスタントフィルム
３０          フィルムカセット
３１          カセット本体
３２          カセット蓋
３３          繰出口
４０          収納室
４００        底壁部
４０１        第１側壁部
４０２        第２側壁部
４０３        第３側壁部
４０４        第４側壁部
５０          画像形成部
６１          押出部材
６２          送出口
６３          装填センサ
７０          逃げ部
８１          第１位置決め突起部
８２          第２位置決め突起部
８３          第１傾斜位置決め突起部
８４          第２傾斜位置決め突起部
８５          第３傾斜位置決め突起部
【図１】
2018180120.tif 000003
【図２】
2018180120.tif 000004
【図３】
2018180120.tif 000005
【図４】
2018180120.tif 000006
【図５】
2018180120.tif 000007
【図６】
2018180120.tif 000008
【図７】
2018180120.tif 000009
【図８】
2018180120.tif 000010
【図９】
2018180120.tif 000011